(57)【要約】【課題】  メモリカード内の複数の画像データのうちで、指定した画像データを、容易かつ確実に消去することができるマルチファンクションプリンタを提供することを目的とする。【解決手段】  着脱可能な記憶媒体に保存されている画像データを処理するマルチファンクションプリンタにおいて、読み出し手段が読み出した画像データの一覧と、上記画像データのうちで消去する画像データを指定するためのチェックマークとをプリントする画像選択シートプリント手段と、上記画像選択シートを読み込む画像読み取り手段と、上記画像読み取り手段が読み取った画像選択シートを解析する解析手段と、上記解析手段が解析した結果に基づいて、消去することが指定されている画像データを消去する画像データ消去手段とを有することを特徴とするマルチファンクションプリンタである。【選択図】  図１
2007049451.tif 000002
【特許請求の範囲】
【請求項１】
着脱可能な記憶媒体に保存されている画像データを処理するマルチファンクションプリンタにおいて、
上記記録媒体から画像データを読み出す読み出し手段と；
上記読み出し手段が読み出した画像データの一覧と、上記画像データのうちで消去する画像データを指定するためのチェックマークとをプリントする画像選択シートプリント手段と；
上記画像選択シートを読み込む画像読み取り手段と；
上記画像読み取り手段が読み取った画像選択シートを解析する解析手段と；
上記解析手段が解析した結果に基づいて、消去することが指定されている画像データを消去する画像データ消去手段と；
を有することを特徴とするマルチファンクションプリンタ。
【請求項２】
請求項１において、
上記画像選択シートプリント手段は、上記画像データのうちでプリントする画像データを指定するためのチェックマークをプリントする手段であり、
上記解析手段が解析した結果に基づいて、プリントすることが指定されている画像データをプリントする画像データプリント手段と；
プリントの正常終了を確認するプリント終了確認手段と；
を有し、上記プリントの正常終了を確認した後に、消去することが指定されている画像データを上記記憶媒体から消去することを特徴とするマルチファンクションプリンタ。
【請求項３】
請求項１において、
上記画像選択シートプリント手段は、上記画像データのうちで保存する画像データを指定するためのチェックマークをプリントする手段であり、
画像データを保存する記憶装置と；
上記解析手段が解析した結果に基づいて、保存することが指定されている画像データを上記記憶媒体に保存させる保存制御手段と；
保存の正常終了を確認する保存終了確認手段と；
を有し、保存の正常終了を確認した後に、消去することが指定されている画像データを上記記憶媒体から消去することを特徴とするマルチファンクションプリンタ。
【請求項４】
着脱可能な記憶媒体に保存されている画像データを処理するマルチファンクションプリンタの制御方法において、
上記記録媒体から画像データを読み出す読み出し工程と；
上記読み出し工程で読み出した画像データの一覧と、上記画像データのうちで消去する画像データを指定するためのチェックマークとをプリントする画像選択シートプリント工程と；
上記画像選択シートを読み込む画像読み取り工程と；
上記画像読み取り工程で読み取られた画像選択シートを解析する解析工程と；
上記解析工程で解析された結果に基づいて、消去することが指定されている画像データを消去する画像データ消去工程と；
を有することを特徴とするマルチファンクションプリンタの制御方法。
【請求項５】
請求項４において、
上記画像選択シートプリント工程は、上記画像データのうちでプリントする画像データを指定するためのチェックマークをプリントする工程であり、
上記解析工程が解析した結果に基づいて、プリントすることが指定されている画像データをプリントする画像データプリント工程と；
プリントの正常終了を確認するプリント終了確認工程と；
を有し、上記プリントの正常終了を確認した後に、消去することが指定されている画像データを上記記憶媒体から消去することを特徴とするマルチファンクションプリンタの制御方法。
【請求項６】
請求項４において、
上記画像選択シートプリント工程は、上記画像データのうちで保存する画像データを指定するためのチェックマークをプリントする工程であり、
上記解析工程で解析した結果に基づいて、保存することが指定されている画像データを、所定の記憶媒体に保存させる保存制御工程と；
保存の正常終了を確認する保存終了確認工程と；
を有し、保存の正常終了を確認した後に、消去することが指定されている画像データを上記所定の記憶媒体から消去することを特徴とするマルチファンクションプリンタの制御方法。
【発明の詳細な説明】
【技術分野】
【０００１】
本発明は、デジタル画像が記憶されているメモリカードから、任意のデジタル画像を読み出し、プリントするマルチファンクションプリンタに関するものである。
【背景技術】
【０００２】
昨今のプリンタは、デジタルカメラ等で使用するメモリカードを挿入するためのメモリカードスロットと、ユーザがプリント設定の指示等を入力するための操作パネルとを備えている。この場合、ＰＣに接続せずに、メモリカード内のデジタル画像を、プリンタ単体でプリントする機能（いわゆるダイレクトプリント機能）を有する。
【０００３】
また、スキャナ（画像読取装置）機能を有し、プリントに加え、スキャンやコピー等の動作を行うことができるマルチファンクションプリンタが市場に浸透しつつある。
【０００４】
このようなダイレクトプリント機能を有するマルチファンクションプリンタにおいて、ＰＣを使用せずに、手軽にデジタルカメラ等の画像データをプリントする一手法として、次の手法が知られている。つまり、メモリカード内の画像を複数枚並べ、プリントした画像選択シートにマークをつけてプリントしたい画像を選択し、マークが付けられた画像選択シートを読み込み、選択した画像をプリントする機能が知られている（たとえば、特許文献１参照）。
【０００５】
また、このようなダイレクトプリント機能を有するマルチファンクションプリンタには、ＰＣを使用せずに、メモリカード内の画像データを消去する機能を有するものがある。
【特許文献１】特開２００２−２７３９７３号公報
【発明の開示】
【発明が解決しようとする課題】
【０００６】
ダイレクトプリント機能を有するマルチファンクションプリンタで、ＰＣを使用せずにメモリカード内の画像データを消去する際、ビューワ（画像表示機能）を有する場合、画像データを１枚１枚ビューワに表示させ、消去したい画像データを選択する。
【０００７】
また、ビューワを有しないマルチファンクションプリンタであれば、インデックスプリントを行い、それを見て、消去したい画像データを選択し、ＩＤ番号やファイル名等から消去したい画像データを操作パネルで指示する必要がある。なお、上記「インデックスプリント」は、１枚の用紙に複数の画像データをプリントすることである。
【０００８】
いずれの場合も、特に多数枚の画像データが入ったメモリカードを使用する際に、削除したい画像を探すこと、さらに、消去する指示を行うことが、非常に困難であり、意図しない画像データを消去する恐れがあるという問題がある。
【０００９】
本発明は、メモリカード内の複数の画像データのうちで、指定した画像データを、容易かつ確実に消去することができるマルチファンクションプリンタを提供することを目的とする。
【００１０】
また、本発明は、メモリカード内の複数の画像データのうちで、指定した画像データを消去する場合、上記指定した画像データが正常にプリントされた後に、上記指定した画像データを消去することができるマルチファンクションプリンタを提供することを目的とする。
【課題を解決するための手段】
【００１１】
本発明は、着脱可能な記憶媒体に保存されている画像データを処理するマルチファンクションプリンタにおいて、上記記録媒体から画像データを読み出す読み出し手段と、上記読み出し手段が読み出した画像データの一覧と、上記画像データのうちで消去する画像データを指定するためのチェックマークとをプリントする画像選択シートプリント手段と、上記画像選択シートを読み込む画像読み取り手段と、上記画像読み取り手段が読み取った画像選択シートを解析する解析手段と、上記解析手段が解析した結果に基づいて、消去することが指定されている画像データを消去する画像データ消去手段とを有することを特徴とするマルチファンクションプリンタである。
【発明の効果】
【００１２】
本発明によれば、画像選択シートをプリントし、消去したい画像をチェックし、画像選択シートを読み込ませるので、メモリカード内で消去したい画像データを、容易に、かつ、誤った画像を消去することなく消去することができるという効果を奏する。
【発明を実施するための最良の形態】
【００１３】
発明を実施するための最良の形態は、次の実施例である。
【実施例１】
【００１４】
図１は、本発明の実施例１であるマルチファンクションプリンタ（ＭＦＰ）装置１００の概略構成を示すブロック図である。
【００１５】
ＭＦＰ装置１００は、ＣＰＵ１０１と、ＲＯＭ１０２と、ＲＡＭ１０３と、画像メモリ１０４と、データ変換部１０５と、読取制御部１０６と、読取部１０７と、操作部１０８と、表示部１０９と、通信制御部１１０とを有する。また、ＭＦＰ装置１００は、解像度変換処理部１１１と、符号復号化処理部１１２と、記録制御部１１３と、記録部１１４と、ＵＳＢファンクション制御部１１５と、ＵＳＢホスト制御部１１６とを有する。さらに、ＭＦＰ装置１００は、メモリカードスロット１１７と、メモリカード制御部１１８と、ＣＰＵバス１２１とを有する。
【００１６】
ＣＰＵ１０１は、システム制御部であり、ＭＦＰ装置１００の全体を制御する。
【００１７】
ＲＯＭ１０２は、ＣＰＵ１０１が実行する制御プログラムや組み込みオペレーティングシステム（ＯＳ）プログラム等を格納する。
【００１８】
ＲＡＭ１０３は、ＳＲＡＭ（ｓｔａｔｉｃ  ＲＡＭ）等で構成され、プログラム制御変数等を格納し、また、オペレータが登録した設定値やＭＦＰ装置１００の管理データ等を格納し、各種ワーク用バッファ領域が設けられている。
【００１９】
画像メモリ１０４は、ＤＲＡＭ（ｄｙｎａｍｉｃ  ＲＡＭ）等で構成され、画像データを蓄積する。
【００２０】
データ変換部１０５は、ページ記述言語（ＰＤＬ）等の解析や、キャラクタデータのＣＧ（ｃｏｍｐｕｔｅｒ  ｇｒａｐｈｉｃｓ）展開等、画像データの変換を行う。
【００２１】
読取制御部１０６は、読取部１０７を制御する。読取部１０７は、ＣＣＤやＣＩＳ等によって構成され、原稿を光学的に読み取り、電気的な画像データに変換した画像信号を、図示しない画像処理制御部を介して、２値化処理や中間調処理等の各種画像処理を施し、高精細な画像データを出力する。
【００２２】
操作部１０８は、数値入力キー、文字入力キー、ワンタッチ電話番号キー、モード設定キー、決定キー、取り消しキー等を有し、オペレータが画像送信相手先データの決定や設定データの登録動作を行う。
【００２３】
表示部１０９は、ＬＥＤ（発光ダイオード）と、ＬＣＤ（液晶ディスプレイ）等によって構成されている。また、表示部１０９は、操作部１０８を介してオペレータが行った各種入力操作を表示し、ＭＦＰ装置１００の動作状況、ステータス状況を表示し、画像メモリ１０４に蓄積されている画像データを表示する。
【００２４】
通信制御部１１０は、ＭＯＤＥＭ（変復調装置）や、ＮＣＵ（網制御装置）等によって構成されている。通信制御部１１０は、アナログの通信回線（ＰＳＴＮ）１３１に接続され、Ｔ３０プロトコルでの通信制御、通信回線に対する発呼と着呼等、回線制御を行う。
【００２５】
解像度変換処理部１１１は、画像データのミリ−インチ解像度変換等、解像度変換制御を行う。なお、解像度変換部１１１において、画像データの拡大縮小処理も可能である。
【００２６】
符号復号化処理部１１２は、ＭＦＰ装置１００で扱う画像データ（ＭＨ、ＭＲ、ＭＭＲ、ＪＢＩＧ、ＪＰＥＧ等）の符号復号化処理や拡大縮小処理を行う。
【００２７】
記録制御部１１３は、プリントされる画像データに、図示しない画像処理制御部を介して、スムージング処理や記録濃度補正処理、色補正等の各種画像処理を施し、プリント用の画像データに変換し、画像メモリ１０４に蓄積する。また、記録制御部１１３は、定期的に記録部１１４の状態情報データを取得する。
【００２８】
記録部１１４は、レーザビームプリンタやインクジェットプリンタ等からなるプリント装置である。また、記録部１１４は、記録制御部１１３で変換され画像メモリ１０４に蓄積されているプリント用の画像データを取り出し、カラー画像データ、またはモノクロ画像データをプリント部材にプリントする。
【００２９】
ＵＳＢファンクション制御部１１５は、ＵＳＢインタフェースの通信制御を行う。また、ＵＳＢファンクション制御部１１５は、ＵＳＢ通信規格に従って、プロトコル制御を行い、ＣＰＵ１０１が実行するＵＳＢ制御タスクからのデータを、パケットに変換し、外部の情報処理端末に、ＵＳＢパケット送信を行う。さらに、ＵＳＢファンクション制御部１１５は、外部の情報処理端末からのＵＳＢパケットを、データに変換してＣＰＵ１０１に送信する。
【００３０】
ＵＳＢホスト制御部１１６は、ＵＳＢ通信規格で定められたプロトコルで通信を行うための制御部である。ＵＳＢ通信規格は、双方向のデータ通信を高速に行うことができる規格であり、１台のホスト（マスター）に、複数のハブまたはファンクション（スレーブ）を接続することができる。ＵＳＢホスト制御部１１６は、ＵＳＢ通信におけるホストの機能を有する。
【００３１】
メモリカードスロット１１７は、ＵＳＢインタフェースを介して、ＵＳＢホスト制御部１１６に接続され、着脱可能なメモリカードが装着される。
【００３２】
メモリカード制御部１１８は、メモリカードスロット１１７に装着されたメモリカードに格納されている画像データファイルにアクセスし、読み書きすることができる。
【００３３】
次に、上記のように構成されているマルチファンクションプリンタ１００において、メモリカード内の画像データを消去する機能について説明する。
【００３４】
図３、図４は、ＭＦＰ装置１００において、メモリカード内の画像データを消去する処理を示すフローチャートである。
【００３５】
まず、ユーザは、操作部１０８の各種キーを操作し、画像選択シートプリント機能を選択・実行させ、画像選択シートのプリント指示を行う（Ｓ３０１）。
【００３６】
メモリカード制御部１１８は、メモリカードスロット１１７に装着されているメモリカードから、格納されている画像データを読み込む（Ｓ３０２）。記録制御部１１３は、読み込んだ画像データについて、画像選択シート用レイアウトのプリントデータを生成し（Ｓ３０３）、この生成されたプリントデータを、記録部１１４がプリントする（Ｓ３０４）。
【００３７】
画像選択シートＳＨ１は、メモリカード内の画像データの一覧と、消去の選択（指定）を行うチェックマークとがプリントされているシートである。
【００３８】
図２は、実施例１において使用する画像選択シートＳＨ１を示す図である。
【００３９】
画像選択シートＳＨ１は、各画像と一緒に、プリント選択（指定）用のチェックマークがプリントされているシートである。
【００４０】
図２に示すように、画像データのそれぞれに、１つの消去選択（指定）用のチェックマークが付けられている。
【００４１】
ユーザは、消去したい画像データを選択し、対応する画像選択シートＳＨ１の消去用のチェックマークを塗りつぶすことによって、上記画像データのうちで消去する画像データを指定する。チェックマークを塗りつぶした画像選択シートＳＨ１を、読取部１０７にセットし、操作部１０８の各種キーを操作し、画像選択シート読み取り機能を選択・実行させ、画像選択シートＳＨ１の読み取らせる（Ｓ４０１）。
【００４２】
読取部１０７は、画像選択シートＳＨ１を光学的に読み取り、読み取りデータを生成する（Ｓ４０２）。読取部１０７が読み取った画像選択シートＳＨ１の読み取りデータを、読取制御部１０６が解析し、消去用のチェックマークにチェックがあるかどうかを、読取制御部１０６が判定する（Ｓ４０３）。チェックされているチェックマークに対応する画像データを、メモリカード制御部１１８が、メモリカードから消去する（Ｓ４０４）。
【００４３】
これによって、ユーザは、消去したいメモリカード内の画像データを、容易に、かつ、誤った画像を消去することなく消去することができる。
【実施例２】
【００４４】
本発明の実施例２は、メモリカード内の画像データの消去機能における他の実施例である。
【００４５】
図３、図６は、実施例２におけるメモリカード内の画像データの消去機能の処理を示すフローチャートである。
【００４６】
まず、ユーザは、操作部１０８の各種キーを操作し、画像選択シートプリント機能を選択・実行させ、画像選択シートＳＨ２のプリント指示を行う（Ｓ３０１）。つまり、複数の画像データのうちでプリントする画像データを指定する。
【００４７】
メモリカード制御部１１８は、メモリカードスロット１１７に装着されているメモリカードに格納されている画像データを読み込む（Ｓ３０２）。記録制御部１１３は、読み込んだ画像データについて、画像選択シートＳＨ２用レイアウトのプリントデータを生成し（Ｓ３０３）、この生成したプリントデータを、記録部１１４がプリントする（Ｓ３０４）。
【００４８】
画像選択シートＳＨ２は、メモリカード内の画像データの一覧と、プリントを望む画像データを指定するチェックマークと、消去する画像データを指定するチェックマークとがプリントされているシートである。
【００４９】
図５は、実施例２において使用する画像選択シートＳＨ２を示す図である。
【００５０】
画像選択シートＳＨ２は、各画像と一緒に、プリントを指定するためのチェックマークと、消去を指定するためのチェックマークとがプリントされているシートである。
【００５１】
ユーザは、プリントしたい画像と、消去したい画像とを選択し、対応する画像選択シートＳＨ２のプリント用のチェックマークと、消去用のチェックマークとを塗りつぶす。つまり、塗りつぶすことによって、画像データを指定する。
【００５２】
プリントだけしたい画像データについては、プリント用のチェックマークを塗りつぶし、消去だけしたい画像データについては、消去用のチェックマークを塗りつぶす。プリント後に消去したい画像データについては、プリント用のチェックマークと消去用のチェックマークとの両方を塗りつぶす。
【００５３】
チェックマークを塗りつぶした画像選択シートＳＨ２を、読取部１０７にセットし、操作部１０８の各種キーを操作し、画像選択シート読み取り機能を、選択・実行し、画像選択シートＳＨ２の読み取り指示を行う（Ｓ６０１）。
【００５４】
読取部１０７は、画像選択シートＳＨ２を光学的に読み取り、読み取りデータを生成する（Ｓ６０２）。読取制御部１０６は、読取部１０７で読み取った画像選択シートＳＨ２の読み取りデータを解析し、プリント用のチェックマークと、消去用のチェックマークとにチェックがあるかどうかを判定する（Ｓ６０３）。
【００５５】
プリント用のチェックマークがチェックされているかどうかを、画像毎に判断する（Ｓ６０５）。プリント用のチェックマークがチェックされていれば、記録制御部１１３は、その画像データから、プリント用の画像データを生成し、生成した画像データを、記録部１１４がプリントする（Ｓ６０６）。
【００５６】
次に、消去用のチェックマークがチェックされていれば（Ｓ６０７）、その画像データを、メモリカード制御部１１８がメモリカードから消去する（Ｓ６０８）。
【００５７】
画像選択シートＳＨ２にプリントされている全画像データについて、これらの動作を繰り返す（Ｓ６０４）。
【００５８】
さらに、プリントが正常に行われたかどうかをチェックし（Ｓ６０９）、プリントが正常に終了しなければ、以降の画像データについての消去を行わずに、処理を終了させるようにしてもよい。プリントが正常に行われなかった場合とは、たとえば、用紙無しエラー、インク無しエラーや、その他プリンタの異常エラーの場合等である。
【００５９】
プリントが正常に行われず、画像データの消去を行わずに処理を終了した場合、その旨を、表示部１０９のＬＣＤ（液晶ディスプレイ）等に表示するようにしてもよい。または、エラーが解除された後に、その旨をプリント出力するようにしてもよい。
【００６０】
また、プリントが正常に行われず、画像データを消去せずに処理を終了した場合、先ほどの画像選択シートＳＨ２の読み取り処理を再度実行することによって、エラーが発生した画像のプリント処理から、続きを実行するようにしてもよい。
【００６１】
また、プリントが正常に行われず、画像データの消去を行わずに処理を終了した場合、画像選択シートＳＨ２を新たに作り直すようにしてもよい。
【００６２】
このようにすることによって、ユーザは、プリントすることによって不要になる画像データを、容易に、かつ、誤った画像を消去することなく消去することができる。また、プリントが正常に終了しなかった場合は、メモリカードから消去されることがないので、プリントすることなく消去される心配もない。
【実施例３】
【００６３】
本発明の実施例３は、メモリカード内の画像データの消去機能における他の実施例である。
【００６４】
図３、図８は、実施例３におけるメモリカード内の画像データの消去機能の処理動作を示すフローチャートである。
【００６５】
ユーザは、操作部１０８の各種キーを操作し、画像選択シートプリント機能を、選択・実行させ、画像選択シートＳＨ３のプリント指示を行う（Ｓ３０１）。
【００６６】
メモリカード制御部１１８は、メモリカードスロット１１７に装着されているメモリカードから格納されている画像データを読み込む（Ｓ３０２）。記録制御部１１３は、読み込んだ画像データに基づいて、画像選択シートＳＨ３用レイアウトのプリントデータを生成し（Ｓ３０３）、生成したプリントデータを、記録部１１４がプリントする（Ｓ３０４）。
【００６７】
図７は、実施例３において使用する画像選択シートＳＨ３を示す図である。
【００６８】
画像選択シートＳＨ３は、メモリカード内の画像データの一覧と、保存を選択するチェックマークと、消去を選択するチェックマークとがプリントされているシートである。つまり、画像選択シートＳＨ３は、各画像データについて、保存選択用のチェックマークと消去選択用のチェックマークとを有する。
【００６９】
ユーザは、保存したい画像と消去したい画像とを選択し、対応する画像選択シートＳＨ３の保存用のチェックマークと、消去用のチェックマークとを塗りつぶす。これによって、保存したい画像データを指定し、消去したい画像データを指定する。
【００７０】
保存だけしたい画像データについては、保存用のチェックマークを塗りつぶす。消去だけしたい画像データについては、消去用のチェックマークを塗りつぶす。保存後に消去したい画像データについては、その画像データに対応する保存用のチェックマークと消去用のチェックマークとの両方を塗りつぶせばよい。
【００７１】
チェックマークを塗りつぶした画像選択シートＳＨ３を、読取部１０７にセットし、操作部１０８の各種キーを操作し、画像選択シート読み取り機能を、選択・実行させ、画像選択シートＳＨ３の読み取り指示を行う（Ｓ８０１）。
【００７２】
読取部１０７は、画像選択シートＳＨ３を光学的に読み取り、読み取りデータを生成する（Ｓ８０２）。読取制御部１０６は、読取部１０７で読み取った画像選択シートＳＨ３の読み取りデータを解析し、保存用のチェックマークと、消去用のチェックマークとにチェックがあるか（塗りつぶされているか）どうかを判定する（Ｓ８０３）。
【００７３】
保存用のチェックマークがチェックされているかどうかを判断し、保存用のチェックマークがチェックされていれば（Ｓ８０５）、メモリカード制御部１１８は、その画像データをメモリカードから読み出し、不図示の記憶装置に保存する（Ｓ８０６）。
【００７４】
次に、消去用のチェックマークがチェックされているかどうかを判断し、消去用のチェックマークがチェックされていれば（Ｓ８０７）、メモリカードから、その画像データを、メモリカード制御部１１８が消去する（Ｓ８０８）。
【００７５】
画像選択シートＳＨ３にプリントされている全画像データについて、上記動作を繰り返す（Ｓ８０４）。
【００７６】
ここで、不図示の記憶装置とは、たとえば、ハードディスクや書き込み可能なＣＤ−Ｒ、ＤＶＤ−Ｒドライブ等である。
【００７７】
さらに、保存が正常に行われたかどうかをチェックし（Ｓ８０９）、保存が正常に終了しなければ、以降の画像データの消去を行わずに処理を終了させるようにしてもよい。
【００７８】
保存が正常に行われなかった場合とは、たとえば、保存先の記憶装置の空き容量がなくなった場合や、記憶装置自体のエラーが発生した場合等である。
【００７９】
これによって、上記保存を行うことによって、メモリカード内に不要になる画像データを、ユーザは、容易に、かつ、誤った画像を消去することなく消去することができる。また、保存が正常に終了しなかった場合は、メモリカードから消去されることがないので、保存することなく消去される心配もない。
【００８０】
上記実施例によれば、画像選択シートをプリントし、消去したい画像をチェックし、画像選択シートを読み込ませるので、消去したいメモリカード内の画像データを、容易に、かつ、誤った画像を消去することなく消去することができる。
【００８１】
また、上記実施例によれば、画像選択シートに、プリントのチェックマークを設け、プリント後に、画像データを消去するので、プリントが正常に終了しなかった場合は、メモリカードから消去しない。
【００８２】
さらに、上記実施例によれば、画像選択シートに、保存のチェックマークを設け、保存後に、画像データを消去するので、保存が正常に終了しなかった場合は、メモリカードから消去しない。
【図面の簡単な説明】
【００８３】
【図１】本発明の実施例１であるマルチファンクションプリンタ（ＭＦＰ）装置１００の概略構成を示すブロック図である。
【図２】実施例１において使用する画像選択シートＳＨ１を示す図である。
【図３】ＭＦＰ装置１００において、メモリカード内の画像データを消去する処理を示すフローチャートである。
【図４】ＭＦＰ装置１００において、メモリカード内の画像データを消去する処理を示すフローチャートである。
【図５】実施例２において使用する画像選択シートＳＨ２を示す図である。
【図６】実施例２におけるメモリカード内の画像データの消去機能の処理を示すフローチャートである。
【図７】実施例３において使用する画像選択シートＳＨ３を示す図である。
【図８】実施例３におけるメモリカード内の画像データの消去機能の処理動作を示すフローチャートである。
【符号の説明】
【００８４】
１００…ＭＦＰ装置、
１０１…ＣＰＵ、
１０２…ＲＯＭ、
１０３…ＲＡＭ、
１０４…画像メモリ、
１０７…読取部、
１０８…操作部、
１０９…表示部、
１１４…記録部、
１１８…メモリカード制御部、
ＳＨ１、ＳＨ２、ＳＨ３…画像選択シート。
【図１】
2007049451.tif 000003
【図２】
2007049451.tif 000004
【図３】
2007049451.tif 000005
【図４】
2007049451.tif 000006
【図５】
2007049451.tif 000007
【図６】
2007049451.tif 000008
【図７】
2007049451.tif 000009
【図８】
2007049451.tif 000010